【手続補正書】
【提出日】平成24年2月6日(2012.2.6)
【手続補正１】
【補正対象書類名】明細書
【補正対象項目名】００２９
【補正方法】変更
【補正の内容】
【００２９】
メモリカードインターフェース１７は、外部記憶装置であるメモリカード２０が装填される部位を備え、制御部１１の制御に応じて、装填されたメモリカード２０に対するデータのアクセスとして、少なくともデータの読み出しが可能なように構成される部位である。メモリカード２０から読み出したデータは、制御部１１に転送される。
【手続補正２】
【補正対象書類名】明細書
【補正対象項目名】００３０
【補正方法】変更
【補正の内容】
【００３０】
上記構成による写真立て型表示装置１の基本的な利用態様例と、これに応じた写真立て型表示装置１の表示動作について説明する。
ユーザは、例えばデジタルスチルカメラなどで撮影した画像データが保存されているメモリカード２０を、写真立て型表示装置１に対して装填し、画像表示のための操作を行う。
この操作に応じては、制御部１１は、メモリカードインターフェース１７を介して、メモリカード２０に記憶されている画像データを読み出し、ディスプレイデバイス１２にて画像として表示させるための制御を実行する。
これにより、写真立て型表示装置１の表示画面部３において、ユーザが装填したメモリカード２０に保存されている画像データの画像が表示されることになる。
【手続補正３】
【補正対象書類名】明細書
【補正対象項目名】００３１
【補正方法】変更
【補正の内容】
【００３１】
また、メモリカード２０から読み出した画像データをフラッシュメモリ１３に取り込むようにして保存し、このフラッシュメモリ１３に保存された画像データを表示させることも可能とされている。
この場合には、先ず、ユーザは、写真立て型表示装置１に対してメモリカード２０を装填して、ここに記憶されている画像データを、フラッシュメモリ１３に対して転送して記憶させるための操作を実行する。このときには、例えばメモリカード２０に記憶されている画像データのうちから、フラッシュメモリ１３に記憶させる画像データを選択する操作が行えるようにされている。
この操作に応じて、制御部１１は、メモリカード２０から選択された画像データを順次読み出し、メモリカードインターフェース１７を介してフラッシュメモリ１３に対して書き込み命令を実行するとともに、データを転送する。この命令に応じて、フラッシュメモリ１３は、転送されてきた画像データを書き込んで、ファイル単位で管理されるようにして保存させる。なお、フラッシュメモリ１３においてファイル単位で管理される画像データは、静止画像データとされ、ここではＪＰＥＧ（Joint Photographic Expert Group）形式による画像ファイルとして管理されるものとする。また、フラッシュメモリ１３は、ファイルシステムとして、あくまでも一例であるがＦＡＴを採用しているものとする。
【手続補正４】
【補正対象書類名】明細書
【補正対象項目名】００３７
【補正方法】変更
【補正の内容】
【００３７】
図４により、焦電センサ４２による動作方向の検出原理について説明する。
このデュアル型の焦電センサ４２は、図示するようにして、２つの赤外線検出素子５１Ａ，５１Ｂを備えている。これら赤外線検出素子５１Ａ，５１Ｂは、図示するようにして、トランジスタＴｒのゲート端子と、焦電センサ４２の外部ゲート端子Ｇとの間において、直列に接続されるようにして挿入される。ここで、赤外線検出素子５１Ａ，５１Ｂは、その負極同士が直列に接続される。つまり、赤外線検出素子５１Ａ，５１Ｂは、互いに反転した極性により直列接続されている。赤外線検出素子５１Ａの正極はトランジスタのゲート端子に接続され、赤外線検出素子５１Ｂの正極は、外部ゲート端子Ｇに接続される。
また、赤外線検出素子５１Ａ，５１Ｂの直列接続に対しては、並列に抵抗Ｒ１が接続される。また、外部ゲート端子ＧとドレインＤとの間にはゲート−ソース間抵抗R2が挿入される。
【手続補正５】
【補正対象書類名】明細書
【補正対象項目名】００３９
【補正方法】変更
【補正の内容】
【００３９】
一次元センサ４０としてのデバイスにおいては、赤外線検出素子５１Ａ，５１Ｂが、集光器４１を介して外部光を受光可能なように配置される。図４（ｂ）は、一次元センサ４０における赤外線検出素子５１Ａ，５１Ｂの物理的な配置態様を模式的に示している。この図においては、上側に赤外線検出素子５１Ａが位置し，その下側において、或る一定の間隔を有して赤外線検出素子５１Ｂが配置されている。この配置に対応しては、縦（垂直方向）に沿って赤外線検出素子５１Ａ，５１Ｂを通過する一点鎖線に対応する方向が、焦電センサ部４２の検出軸Ｌとなる。つまり、図４（ｂ）の紙面対応した赤外線検出素子５１Ａ，５１Ｂの配置方向では、縦（垂直）に沿った移動方向についいて上方向への移動と、下方向への移動の何れであるのかが検出されることになる。なお、図４（ｂ）と図４（ａ）の直線的な動作方向１、２を対応させれば、動作方向１が上方向への移動で、動作方向２が下方向への移動であることになる。
また、動作方向１，２は、互いに逆方向の動きとなるので、動作方向１を正方向とすれば、動作方向２は逆方向となる関係である。
【手続補正６】
【補正対象書類名】明細書
【補正対象項目名】００５０
【補正方法】変更
【補正の内容】
【００５０】
また、一次元センサ４０−２側に関しては、左側に位置する赤外線検出素子５１Ａ−２に対応して空間検出領域６０Ａ−２が形成され、右側に位置する赤外線検出素子５１Ｂ−２に対応して空間検出領域６０Ｂ−２が形成される。
これらの空間検出領域６０Ａ−２、６０Ｂ−２は、対応する赤外線検出素子５１Ａ−２，５１Ｂ−２の形状と配置角度に応じて、水平方向が短辺となる長方形の断面による空間を形成している。また、位置関係としては、対応する赤外線検出素子５１Ａ−２，５１Ｂ−２の配置位置関係に応じて、空間検出領域６０Ａ−２のほうが左で、空間検出領域６０Ｂ−２が右となる位置関係となっている。
【手続補正７】
【補正対象書類名】明細書
【補正対象項目名】００５４
【補正方法】変更
【補正の内容】
【００５４】
図７（ａ）（ｂ）（ｃ）に示されるように、水平方向の検出軸に対応した検出出力となるセンサ信号Ｓ２については、右動作の検出に応じたほぼ同じ波形が得られている。つまり、一次元センサ４０−２側のみに関すれば、右動作を安定して検出していることになる。
一方、垂直方向の検出軸に対応するセンサ信号Ｓ１については、本来であれば、ほぼ０レベルが維持されるべきであることになる。しかし、実際に得られるセンサ信号Ｓ１は、図７（ａ）に示されるように振幅が非常に小さい場合もあれば、図７（ｂ）（ｃ）のようにして大きな振幅が得られる場合もある。さらには、センサ信号Ｓ２に対するセンサ信号Ｓ１の位相として、図７（ｂ）の場合には、ほぼ同位相であるのに対して、図７（ｃ）の場合には、逆相になっている。このようにして、センサ信号Ｓ１については振幅、位相ともにその出現の仕方に一定性がない。
このように、ジェスチャ動作としての動きに沿った方向を検出軸とする一次元センサのセンサ信号は安定しているが、これと直交する方向を検出軸とする一次元センサのセンサ信号は不安定になる。
【手続補正８】
【補正対象書類名】明細書
【補正対象項目名】００６２
【補正方法】変更
【補正の内容】
【００６２】
ここで、図１０により、図８に示す一次元センサ４０−１（赤外線検出素子５１Ａ−１，５１Ｂ−１），４０−２（赤外線検出素子５１Ａ−２，５１Ｂ−２）の配置によって、上下左右の各ジェスチャ動作を行った場合に得られるセンサ信号Ｓ１，Ｓ２の波形を模式的に示しておく。
なお、ここにおいて示される波形は、一次元センサ４０−１（赤外線検出素子５１Ａ−１，５１Ｂ−１）に対応する空間検出領域６０Ａ−１，６０Ｂ−１の組と、一次元センサ４０−２（赤外線検出素子５１Ａ−２，５１Ｂ−２）に対応する空間検出領域６０Ａ−２，６０Ｂ−２の組との物理的な距離差に応じて生じる検出時間差を排除したものとなっている。
空間検出領域が空間上で交差しても、赤外線検出素子側での検出には特に支障はない。従って、実際においても、一次元センサ４０−１（赤外線検出素子５１Ａ−１，５１Ｂ−１）に対応する空間検出領域６０Ａ−１，６０Ｂ−１と、一次元センサ４０−２（赤外線検出素子５１Ａ−２，５１Ｂ−２）に対応する空間検出領域６０Ａ−２，６０Ｂ−２とが重複するようにして調整し、検出時間差が問題にならなくなるようにすることができる。
【手続補正９】
【補正対象書類名】明細書
【補正対象項目名】００６８
【補正方法】変更
【補正の内容】
【００６８】
ここで、図１１（ａ）に示されるセンサ信号Ｓ１，Ｓ２が得られたとする。なお、このセンサ信号Ｓ１，Ｓ２は、実際においては上動作を検出して得られたものである。
本実施形態においては、このようにして得られたセンサ信号Ｓ１，Ｓ２について、それぞれ、正規化処理を行う。
この正規化処理として、先ず、センサ信号Ｓ１については、ジェスチャ動作に対応する動きを検出したことに応じて振幅が変化したとされる、有意な信号区間（ジェスチャ動作期間）における最大値Vp1を求める。なお、この最大値Vp1は、絶対値として取得する。そのうえで、同じジェスチャ動作期間において得られているセンサ信号Ｓ１の振幅値を、上記最大値Vp1により除算する。これにより、センサ信号Ｓ１の振幅値は、−１〜１の範囲内で、最大値Vp1との比により示される値となるようにして正規化される。
センサ信号Ｓ２についても、同様にして、ジェスチャ動作期間における絶対値による最大値Vp2を求め、同じジェスチャ動作期間において得られているセンサ信号Ｓ２の振幅値を、上記最大値Vp2により除算する。これにより、その振幅値は、−１〜１の範囲において最大値Vp2との比により示される値となるようにして正規化される。
【手続補正１０】
【補正対象書類名】明細書
【補正対象項目名】００７９
【補正方法】変更
【補正の内容】
【００７９】
ここで、水平方向のジェスチャ動作に対応するものとして、図１２（ｂ）（ｃ）の位相平面に示される右動作、左動作の信号軌跡は、共通の特徴を持っている。つまり、例えば信号軌跡の大まかな輪郭に対応して、楕円Ｅをあてはめたとして、この楕円Ｅの長軸に対応する直線Ｌについてみると、右動作と左動作の何れについても、右上がりとなる。なお、これは、一次関数y=ax+bにより表される直線としてみた場合には、a>0の直線となる。
また、垂直方向のジェスチャ動作に対応するものとして、図１３（ｂ）（ｃ）の位相平面に示される下動作、上動作の信号軌跡も共通の特徴を持ちながら、その特徴は、上記図１２（ｂ）（ｃ）とは異なるものとなる。
つまり、図１３（ｂ）（ｃ）の信号軌跡にあてはめた楕円Ｅの長軸に対応する直線Ｌは下動作と上動作の何れについても、右下がりとなるものであり、一次関数y=ax+bにより表される直線としてみた場合には、a<0の直線となる。
このような特徴は、先に図１０にて説明した、センサ信号Ｓ１，Ｓ２の極性、及び相互の位相の関係に応じて現れるものである。
このことからすれば、信号軌跡に対応して得られる直線Ｌの傾きについて、これが右上がりであれば、水平方向のジェスチャ動作であると認識し、右下がりであれば、垂直方向のジェスチャ動作であると認識すればよいことになる。
【手続補正１１】
【補正対象書類名】明細書
【補正対象項目名】００８９
【補正方法】変更
【補正の内容】
【００８９】
そこで、本実施形態では、上記した信号軌跡の包括形状（楕円Ｅ）がどの象限に偏倚しているのかを評価するために、位相平面写上における信号軌跡の重心Ｇを算出して求める。
この重心Ｇは、位相平面上での座標Ｇ（gx,gy）として求められる。
図１２（ｂ）（ｃ）、図１３（ｂ）（ｃ）においては、直線Ｌとしての楕円Ｅの長径の中点として示されている。但し、これはあくまでも模式的なものであり、実際に求められる重心Ｇの座標は、必ずしも直線Ｌと一致するものではない。
【手続補正１２】
【補正対象書類名】明細書
【補正対象項目名】００９７
【補正方法】変更
【補正の内容】
【００９７】
図１４（ａ）は右回転動作としてのジェスチャ動作を３回連続して行ったことに応じて出力されたセンサ信号Ｓ１，Ｓ２の波形例を示している。
この図に示されるセンサ信号Ｓ１，Ｓ２は、１回の回転動作ごとに得られる波形としては、何れもＭ字状のピークの絶対値が正極側となる極性とされたうえで、センサ信号Ｓ２に対してセンサ信号Ｓ１のほうの位相が進むものとなる。
【手続補正１３】
【補正対象書類名】明細書
【補正対象項目名】０１００
【補正方法】変更
【補正の内容】
【０１００】
一方、図１５（ａ）は、左回転動作としてのジェスチャ動作を３回連続して行ったことに応じて出力されたセンサ信号Ｓ１，Ｓ２の波形例を示している。
この図のセンサ信号Ｓ１，Ｓ２は、１回の回転動作ごとに得られる波形としては、何れもＭ字状のピークの絶対値が負極側となる極性とされている。そのうえで、センサ信号Ｓ２に対してセンサ信号Ｓ１のほうの位相が遅れたものとなる。つまり、センサ信号Ｓ１，Ｓ２の位相差の関係としては、図１４（ａ）の場合と逆になっている。
【手続補正１４】
【補正対象書類名】明細書
【補正対象項目名】０１１３
【補正方法】変更
【補正の内容】
【０１１３】
動作判定部３８は、上記評価項目算出部３７により得られる相関係数ｒ、重心座標Ｇ（gx,gy）、外積のｚ成分の総和値ｐを適宜利用して、ジェスチャ動作として、左動作、右動作、上動作、下動作、左回転動作、右回転動作の何れであるのかを判定する処理を実行し、その判定結果を出力する。
なお、制御部１１は、このジェスチャ判定部１８により出力されるジェスチャ動作の判定結果を操作コマンドとして処理することで、先に例としてあげた写真立て型表示装置１としてのしかるべき動作が得られるように制御を実行する。
【手続補正１５】
【補正対象書類名】明細書
【補正対象項目名】０１２０
【補正方法】変更
【補正の内容】
【０１２０】
ステップＳ２０３において否定の判別結果が得られた場合には、ステップＳ２０４により、タイマが起動中であるか否かについて判別する。このタイマは、次に説明するステップＳ２０７によりリセット・スタートされるもので、センサ信号Ｓ１，Ｓ２が閾値未満となった時点からジェスチャ動作の終了時点としてみなされるまでの時間をカウントする。ステップＳ２０４においてタイマが起動中でないとして否定の判別結果が得られれば、そのままステップＳ２０３に戻る。タイマが起動中であれば、ステップＳ２０５によりタイマを停止させてからステップＳ２０３に戻る。
【手続補正１６】
【補正対象書類名】明細書
【補正対象項目名】０１６７
【補正方法】変更
【補正の内容】
【０１６７】
また、これまでの説明においては、一次元センサ４０−１、４０−２の検出軸Ｌ１，Ｌ２について、水平／垂直方向に対して４５°の角度を与えている。これは、本実施形態において定めた二軸の直交する直線的ジェスチャ動作が、左右動作に対応する水平方向(第1の方向)と、上下動作に対応する垂直方向(第２の方向)としていることによる。
例えば、逆に二軸の直交する直線的ジェスチャ動作を、それぞれ水平／垂直方向に対して４５°となる方向に沿ったものとして定めたとすれば、検出軸Ｌ１，Ｌ２のそれぞれが水平／垂直方向に一致するようにして一次元センサ４０−１、４０−２を配置させることになる。